(57)【要約】【課題】  回路基板等に対して共通のコネクタを使ってフラット配線材とディスクリート線の双方を接続できるようにする。【解決手段】  端子５が装着されたディスクリート線３および導体６ａが末端で露出するフラット配線材６をハウジング２０により一体に保持した配線材側コネクタＣ１と、端子５に対応する相手側端子１２Ｂおよび導体６ａに対応する相手側端子１２Ａをハウジング１０内に保持した基板側コネクタＣ２とからなる。ハウジング２０は、ディスクリート線３が一列に、かつこの列とフラット配線材６とが互いに平行な状態で上下に並ぶように各線３，６を保持する。一方、ハウジング１０は、端子５に対応する配列で端子１２Ｂを、導体６ａに対応する配列で端子１２Ａを保持する。そして、両ハウジング１０，２０の嵌合により各ディスクリート線３の端子５に端子１２Ｂが、フラット配線材６の各導体６ａに端子１２Ａがそれぞれ接触するように構成されている。【選択図】      図１１
2006012717.tif 000002
【特許請求の範囲】
【請求項１】
末端部分に第１端子を装着したディスクリート線の前記第１端子を収納可能な複数の収納部と末端部分で導体を外部露出させたフラット配線材の前記末端部分を収納可能な収納部とを備えた第１ハウジングを有し、かつ前記収納部に前記第１端子およびフラット配線材をそれぞれ収納することにより前記第１ハウジングにより複数のディスクリート線およびフラット配線材を一体に保持した第１コネクタと、前記第１ハウジングに嵌合可能な第２ハウジングを有し、かつこの第２ハウジングに前記第１端子に嵌合可能な第２端子およびフラット配線材の前記導体に嵌合可能な第３端子を保持した第２コネクタとからなり、
前記第１ハウジングは、前記複数のディスクリート線が一列に並び、かつその列と前記フラット配線材とが互いに平行な状態でその列と直交する方向に並ぶように前記ディスクリート線およびフラット配線材を保持する一方、
前記第２ハウジングは、前記第１ハウジングに収納された第１端子に対応する配列で前記第２端子を保持するとともに第１ハウジングに収納されたフラット配線材の前記導体に対応する配列で前記第３端子を保持し、
前記両ハウジングを互いに嵌合させるとディスクリート線に装着された前記第１端子に第２端子が嵌合するとともにフラット配線材の前記導体に第３端子が嵌合するように構成されていることを特徴とするコネクタ。
【請求項２】
請求項１に記載のコネクタにおいて、
前記第１端子はその先端にタブ状の接触片を持つ一方、前記第２端子および第３端子はそれぞれ接触片と支持片とを具備する共通した形状の接続部分を有し、これら接触片と支持片との間に前記第１端子のタブ状の接触片およびフラット配線材の導体を挟持するように構成され、
前記第１ハウジングと第２ハウジングを互いに嵌合させると、第１端子の前記タブ状の接触片が第２端子の接触片と支持片との間に挿入されて接触片同士が接触する一方、フラット配線材の末端部分が第３端子の接触片と支持片との間に挿入されて前記導体が前記接触片に接触するように構成されていることを特徴とするコネクタ。
【請求項３】
請求項２に記載のコネクタにおいて、
前記第２端子と第３端子とが共通の形状を有していることを特徴とするコネクタ。
【請求項４】
請求項２又は３に記載のコネクタにおいて、
前記第２ハウジングは、その本体部分に対して脱着可能な板状の支持部材を有し、この支持部材上に前記フラット配線材の末端部分を重ねた状態でフラット配線材と前記支持部材とが一体に第２ハウジングに挿着されることにより、前記導体の露出部分をコネクタ接続方向に突出させ、かつこの突出部分を前記支持部材により支持した状態で前記フラット配線材を保持するように構成されるとともに、前記第１端子の収納部に対応する箇所に前記支持部材の突出部分と同形状の端子支持部を備え、この端子支持部により第２ハウジングに保持された各第１端子の前記タブ状の接触片をコネクタ接続方向に突出させた状態で支持するように構成され、
前記第１ハウジングと第２ハウジングとを互いに嵌合させると、第１端子の前記タブ状の接触片と端子支持部とが一体に前記第２端子の接触片と支持片との間に挿入される一方、フラット配線材の末端部分と前記支持部材とが一体に前記第３端子の接触片と支持片との間に挿入されるように構成されていることを特徴とするコネクタ。
【請求項５】
請求項１乃至４に記載のコネクタにおいて、
前記第１ハウジングは、各第１端子の配列ピッチがフラット配線材の前記導体の配列ピッチと等しくなるように前記第１端子を保持し、
前記第２ハウジングは、前記第２端子の配列および第３端子の配列が共にフラット配線材の配列ピッチと等しくなるように第２，第３端子を保持し、さらにこの第２ハウジングに嵌合可能な第３ハウジングにより前記フラット配線材を前記導体の配列方向と直交する方向に並べて保持した第３コネクタの前記第３ハウジングを前記第２ハウジングに嵌合させることにより、この第３コネクタの各フラット配線材の導体に対して第２端子および第３端子がそれぞれ接触し得るように構成されていることを特徴とするコネクタ。
【発明の詳細な説明】
【技術分野】
【０００１】
本発明は、平角導体を並設したフラットケーブル、リボン電線、ＦＰＣ（Flexible  Printed  Circuit）等のフラット配線材とディスクリート線を共通のコネクタで回路基板等に対して電気的に接続できるようにするコネクタに関するものである。
【背景技術】
【０００２】
従来から、配線材を介して回路基板同士を電気的に接続することが行われている。使用される配線材の線種としてはディスクリート線や、フラットケーブル、リボン電線、ＦＰＣ（Flexible  Printed  Circuit）等のフラット配線材が一般的であり、それぞれ使用目的に応じて使い分けられている。例えば使用電圧が高い場合にはディスクリート線が用いられ、また多数の信号線をまとめて少ないスペースに配索することが要求される場合にはフラット配線材が使用されることが多い。
【発明の開示】
【発明が解決しようとする課題】
【０００３】
ところで、配線材を介して回路基板同士を電気的に接続する場合、実際には共通の回路基板に対してフラット配線材とディスクリート線の双方を接続するケースが多く、この場合、従来は、配線材の種類毎にコネクタを設けて回路基板に接続するのが一般的であった。
【０００４】
しかし、このように配線材の種類毎にコネクタを使って配線材を回路基板に接続する場合には、配線材毎にコネクタの設計、製造が必要となり設計等の負担が大きく、また、部品としてのコネクタハウジング等の管理面での煩雑さもある。さらに、回路基板に対する配線材の接続等の作業も配線材毎に行う必要があり作業性が悪い。
【０００５】
本発明は上記の事情に鑑みてなされたものであって、回路基板等に対して共通のコネクタを使ってフラット配線材とディスクリート線の双方を接続できるようにすることを目的としている。
【課題を解決するための手段】
【０００６】
上記のような課題を解決するために、本発明の請求項１に係るコネクタは、  末端部分に第１端子を装着したディスクリート線の前記第１端子を収納可能な複数の収納部と末端部分で導体を外部露出させたフラット配線材の前記末端部分を収納可能な収納部とを備えた第１ハウジングを有し、かつ前記収納部に前記第１端子およびフラット配線材をそれぞれ収納することにより前記第１ハウジングにより複数のディスクリート線およびフラット配線材を一体に保持した第１コネクタと、前記第１ハウジングに嵌合可能な第２ハウジングを有し、かつこの第２ハウジングに前記第１端子に嵌合可能な第２端子およびフラット配線材の前記導体に嵌合可能な第３端子を保持した第２コネクタとからなり、前記第１ハウジングは、前記複数のディスクリート線が一列に並び、かつその列と前記フラット配線材とが互いに平行な状態でその列と直交する方向に並ぶように前記ディスクリート線およびフラット配線材を保持する一方、前記第２ハウジングは、前記第１ハウジングに収納された第１端子に対応する配列で前記第２端子を保持するとともに第１ハウジングに収納されたフラット配線材の前記導体に対応する配列で前記第３端子を保持し、前記両ハウジングを互いに嵌合させるとディスクリート線に装着された前記第１端子に第２端子が嵌合するとともにフラット配線材の前記導体に第３端子が嵌合するように構成されているものである。
【０００７】
このようなコネクタによれば、例えば第２コネクタを実装型コネクタとして回路基板に実装し、第１コネクタの第１ハウジングと第２コネクタの第２ハウジングとを嵌合させて両コネクタを接続すれば、各ディスクリート線が第１端子および第２端子を介して基板上回路に電気的に接続される一方、フラット配線材の各導体が第３端子を介して基板上回路に電気的に接続されることとなる。従って、ディスクリート線およびフラット配線材の双方を共通の第２コネクタを用いて回路基板に対してまとめて接続することが可能となる。
【０００８】
このコネクタにおいて、前記第１端子はその先端にタブ状の接触片を持つ一方、前記第２端子および第３端子はそれぞれ接触片と支持片とを具備する共通した形状の接続部分を有し、これら接触片と支持片との間に前記第１端子のタブ状の接触片およびフラット配線材の導体を挟持するように構成され、前記第１ハウジングと第２ハウジングを互いに嵌合させると、第１端子の前記タブ状の接触片が第２端子の接触片と支持片との間に挿入されて接触片同士が接触する一方、フラット配線材の末端部分が第３端子の接触片と支持片との間に挿入されて前記導体が前記接触片に接触するように構成されているのが好ましい（請求項２）。
【０００９】
このような構成によれば、第２コネクタ側の第２端子および第３端子の少なくとも主要部分（接続部分）が共通化されるので、第２，第３端子の設計負担が軽減される等のメリットがある。また、第２ハウジングの端子収納室の共通化を図ることも可能となるため、第２ハウジングのハウジング構造の簡素化を進めることも可能となる。
【００１０】
この場合、前記第２端子と第３端子とが共通の形状であれば（請求項３）、第２，第３端子の設計負担が軽減されるばかりでなく金型の共通化を図ることができ、また組付け作業性が向上するというメリットがある。
【００１１】
また、請求項２又は３に記載のコネクタにおいて、前記第２ハウジングは、その本体部分に対して脱着可能な板状の支持部材を有し、この支持部材上に前記フラット配線材の末端部分を重ねた状態でフラット配線材と前記支持部材とが一体に第２ハウジングに挿着されることにより、前記導体の露出部分をコネクタ接続方向に突出させ、かつこの突出部分を前記支持部材により支持した状態で前記フラット配線材を保持するように構成されるとともに、前記第１端子の収納部に対応する箇所に前記支持部材の突出部分と同形状の端子支持部を備え、この端子支持部により第２ハウジングに保持された各第１端子の前記タブ状の接触片をコネクタ接続方向に突出させた状態で支持するように構成され、前記第１ハウジングと第２ハウジングとを互いに嵌合させると、第１端子の前記タブ状の接触片と端子支持部とが一体に前記第２端子の接触片と支持片との間に挿入される一方、フラット配線材の末端部分と前記支持部材とが一体に前記第３端子の接触片と支持片との間に挿入されるように構成されているのが好ましい（請求項４）。
【００１２】
この構成によれば、第１端子の接触片の変形等を防止して各第２端子の接触片をより確実に第１端子に接触させることが可能となる。フラット配線材についても同様に、その末端部分の変形等を防止して各第３端子の接触片を確実にフラット配線材の各導体に接触させることが可能となる。
【００１３】
なお、請求項１乃至４に記載のコネクタにおいて、前記第１ハウジングは、各第１端子の配列ピッチがフラット配線材の前記導体の配列ピッチと等しくなるように前記第１端子を保持し、前記第２ハウジングは、前記第２端子の配列および第３端子の配列が共にフラット配線材の配列ピッチと等しくなるように第２，第３端子を保持し、さらにこの第２ハウジングに嵌合可能な第３ハウジングにより前記フラット配線材を前記導体の配列方向と直交する方向に並べて保持した第３コネクタの前記第３ハウジングを前記第２ハウジングに嵌合させることにより、この第３コネクタの各フラット配線材の導体に対して第２端子および第３端子がそれぞれ接触し得るように構成されているのが好ましい（請求項５）。
【００１４】
この構成によれば、ディスクリート線およびフラット配線材を保持した第１コネクタ、又は複数のフラット配線材を保持した第３コネクタのいずれについても共通の第２コネクタを使っての接続が可能となるため、合理的なコネクタ構成となる。
【発明の効果】
【００１５】
本発明の請求項１〜５に係るコネクタによると、回路基板等に対してディスクリート線とフラット配線材の双方を共通のコネクタを用いてまとめで接続することが可能となる。従って、ディスクリート線とフラット配線材のそれぞれについて個別のコネクタを用いる場合のように、配線材毎にコネクタの設計をする必要がなくなりコネクタの設計負担が軽減される。また、部品としてのコネクタハウジング等の管理負担も軽減される。さらに回路基板等に対するディスクリート線およびフラット配線材の接続作業等も一回の作業で行うことが可能となるため作業性も向上するという効果がある。
【発明を実施するための最良の形態】
【００１６】
本発明の実施の形態について図面を用いて説明する。
【００１７】
図１は、本発明に係るコネクタの実施形態を説明する斜視概略図であり、端子等を一部引き出した状態で示している。この図において、Ｃ２は基板側コネクタ（第２コネクタ）で、回路基板Ｐの表面に実装された状態で固定されている。また、Ｃ１は配線材側コネクタ（第１コネクタ）で、配線材としてディスクリート線５とフラット配線材６の２種類の配線材を一体に保持し、これらの配線材を回路基板Ｐに接続するように構成されている。
【００１８】
基板側コネクタＣ２は、配線材側コネクタＣ１の嵌合用凹部１０ａを具備する幅方向に細長のコネクタハウジング１０（以下、ハウジング１０と略す）を有している。
【００１９】
このハウジング１０には、図２および図３に示すように、多数の端子収納室１３が幅方向（図２では左右方向）に並列に、かつ上下２段に形成されている。同図に示すように、上下の端子収納室１３は互いに半ピッチずれた状態で交互に設けられており、これによってハウジング全体として端子収納室１３が千鳥状の配列となっている。
【００２０】
各端子収納室１３にはそれぞれ端子が収納されている。これらの端子収納室１３のうち下段に収納される端子１２Ａ（第３端子）と上段に収納される端子１２Ｂ（第２端子）とは、共に、上下に撓み変位可能な接続用撓み片１４ａ（接触片）とその下側の支持片１４ｂとからなるコ字形の共通した接続部分を前側（図３では左端）にもつ雌型の端子で、接続部分の後側にはそれぞれ半田付け用の脚部１４ｃを備えている。そして、ハウジング１０の後側から差し込まれることにより各端子収納室１３に対してそれぞれ収納され、脚部１４ｃが回路基板Ｐの固定用ランドに半田付けされることにより基板上回路（パターン）にそれぞれ電気的に接続されている。なお、これらの端子１２Ａ，１２Ｂのうち上段の端子収納室１３に収納される端子１２Ｂは下段に収納される端子１２Ａよりも脚部１４ｃが上下に長く形成されており、これによって回路基板Ｐへの半田付けが可能となっている。
【００２１】
ハウジング１０の幅方向両端部分には、さらに基板側コネクタＣ２（ハウジング１０）を回路基板Ｐに固定するための固定金具１５Ａ，１５Ｂが挿着されている。
【００２２】
これらの固定金具１５Ａ，１５Ｂは、図１、図２および図４（固定金具１５Ａのみ図示）に示すように脚部１６を有しており、これら脚部１６が回路基板Ｐに半田付けされることにより回路基板Ｐに対してハウジング１０が固定されている。
【００２３】
各固定金具１５Ａ，１５Ｂには、フック１７ａを前端に具備し、かつハウジング１０内でその幅方向に撓み変位可能な係止片１７（図４参照）がそれぞれ一体に形成されており、コネクタ嵌合時にはこの係止片１７が配線材側コネクタＣ１の後記ハウジング２０に係合することによって両コネクタを嵌合状態にロックするように構成されている。つまり、これら固定金具１５Ａ，１５Ｂがコネクタのロック機能を兼ね備えた構成となっている。
【００２４】
なお、固定金具１５Ａ，１５Ｂの各係止片１７は、図２に示すように上下にオフセットされている。これはハウジング１０内に各固定金具１５Ａ，１５Ｂをコンパクトに収めるための工夫であり、これにより後述するように基板側コネクタＣ２の幅方向の省スペース化が図られている。
【００２５】
一方、配線材側コネクタＣ１は、図１および図５に示すように幅方向に細長のコネクタハウジング２０（以下、ハウジング２０と略す）を有している。このハウジング２０は上下二段構造となっており、上段には複数の端子収納室２２（第１端子の収納部）が幅方向に並列に設けられ、ディスクリート線３の先端に装着された端子５（第１端子）が各端子収納室２２に収納されている。一方、下段には、前後方向（コネクタ接続方向）に貫通する幅方向に細長の差込孔２３（フラット配線材の収納部）が形成され、フラット配線材６の末端部分が後述するリテーナ２５と共にこの差込孔２３に挿入されている。
【００２６】
ハウジング２０の前側、すなわちコネクタ接続方向の前端面には、上段の端子収納室２２の並びに対応して一対の舌片状の支持部２４ａ，２４ｂが設けられている。これら支持部２４ａ，２４ｂのうち上段の支持部２４ａ（端子支持部）はハウジング２０に一体形成されている。一方、下段の支持部２４ｂは、図５に示すようにハウジング２０の本体部分とは別体に設けられ、かつ同本体部分に脱着可能に構成された板状の部材であるリテーナ２５（支持部材）が前記本体部分に挿着されることにより構成されている。なお、説明の便宜上、「リテーナ２５」はハウジング２０の本体部分から取外された状態の呼び名とし、同本体部分に装着された状態では「支持部２４ｂ」と呼ぶこととし、また、図面中は何れか一方の符号を示し他方の符号を括弧書きで示すことにする。
【００２７】
これらの支持部２４ａ，２４ｂはそれぞれハウジング２０に保持される電線の末端部分をハウジング２０の本体部分からコネクタ接続方向に突出させた状態でその下側から支持するものである。具体的に説明すると、上段の支持部２４ａは、ディスクリート線３に装着されて各端子収納室２２に収納されている端子５の後記接触片５ｂを支持するもので、支持部２４ａの上面には、図５および図６（ａ）に示すようにそれぞれ上向きに開き、かつ端子収納室２２内と連通する複数の支持溝２６が幅方向に並設されている。また、各支持溝２６の前端壁２６ａには、端子５の接触片５ｂの浮き上がりを防止するための突起２７が後向き（図６では左向き）に突設されている。
【００２８】
一方、下段の支持部２４ｂ（リテーナ２５）は、上記差込孔２３に挿入されるフラット配線材６の末端部分を支持するもので、その上面には、フラット配線材６を支持する平坦な支持面３２と、同配線材６を前後方向に拘束する突部３３，３６（前側突部３３、後側突部３６）と、同配線材６を左右方向（幅方向）に拘束するための一対の側方突部３５と、フラット配線材６の先端浮き上がり防止用の一対の押え部３４とが設けられている。
【００２９】
なお、これら支持部２４ａ，２４ｂのうち、上段の支持部２４ａの側面には図１および図５に示すようにその側面に基板側コネクタＣ２の前記固定金具１５Ｂ（フック１７ａ）に対応する係止部２８が一体形成されており、また、下段の支持部２４ａ（リテーナ２５）の側面には前記固定金具１５Ａ（フック１７ａ）に対応する係止部２８（図１１に示す）が一体形成されている。
【００３０】
前記ディスクリート線３は、例えば撚線の外周に被覆（絶縁層）が形成された単線で、上述のようにその先端には端子５が装着されている。
【００３１】
端子５は、図７（ａ）に示すように、ディスクリート線３を保持するための電線保持部５ａとその先端側に設けられるタブ状の接触片５ｂとを備えた雄型端子である。
【００３２】
電線保持部５ａには、端子５の底板４０の両側に立ち上がる一対のワイヤーバレル４２と一対のインシュレーションバレル４４とが前後に並べて設けられている。
【００３３】
接触片５ｂは、前記底板４０に連続して前後方向に延びる連結部４７と、その両側から立ち上がって前記各バレル４２，４４にそれぞれ並ぶ前後方向に細長の互いに平行な一対の単位接触片４６ａ，４６ｂとを備えた断面コ字型の形状に形成されている。また、各単位接触片４６ａ，４６ｂの外側であって、その基端部には端子５を前記ハウジング２０に係止するためのフック４８が一体形成されている。
【００３４】
ディスクリート線３への端子５の装着は、同図に示すようにディスクリート線３の末端部分において被覆が除去されることにより導体３ａが外部露出され、この導体３ａの部分に対してワイヤーバレル４２が、その後側の被覆部分にインシュレーションバレル４４がそれぞれ圧着されることにより行われている。ここで、ワイヤーバレル４２については、導通性能および保持力を確保するためにワイヤーバレル４２の先端が導体３ａに食い込むように強固に圧着されている（加締される）。一方、インシュレーションバレル４４は、その先端同士が向かい合うように被覆部分の外側からディスクリート線３を抱え込ませ、その圧着部分が扁平になるように圧着されている。具体的には、図８（ａ）に示すように、クリンプハイトｈ（圧着成型高さ）よりもクリンプワイドｗ（圧着成型幅）が十分に大きくなり、かつクリンプハイトｈがディスクリート線３の直径ｄ（図８（ｂ）参照）よりも小さくなるようにディスクリート線３に対してインシュレーションバレル４４が圧着されている。これによりディスクリート線３を含む電線保持部５ａの全体が扁平にされている。
【００３５】
そして、このようにディスクリート線３の先端に装着された端子５が各端子収納室２２に収納されている。端子収納室２２への端子５の収納は、図７（ｂ）に示すように端子５を横向き、すなわち図１および図６に示すようにインシュレーションバレル３４のクリンプハイトｈの方向が端子収納室２２の並び方向（幅方向）に向くように端子５を横向きにし、この状態で端子５をハウジング２０の後方から端子収納室２２に挿入することにより行われている。詳細には、端子５を端子収納室２２に挿入しつつその先端（接触片５ｂ）を端子収納室２２から前方に突出させて支持部２４ａの支持溝２６に介挿し、さらに接触片５ｂの先端が支持溝２６の前端壁２６ａに当接する位置まで端子５をハウジング２０に対して差込む。このようにすると、図６（ｂ）に示すように、支持溝２６の前端壁２６ａに形成された突起２７が接触片５ｂの両単位接触片４６ａ，４６ｂの間に挿入されるとともに、各単位接触片４６ａ，４６ｂに形成されたフック４８が端子収納室２２の出口（前方側開口）縁部に係合する。これによって端子５のうち接触片５ｂがコネクタ接続方向に突出した状態で外部露出され、かつ突起２７により接触片５ｂの先端が上下方向に拘束された状態で、端子５がディスクリート線３と共にハウジング２０に収納、保持される。
【００３６】
なお、このハウジング２０の端子収納室２２は、ほぼ上下、左右が対称な断面形状となっており、端子５が左右何れの向き、つまり端子５におけるディスクリート線３の保持面側が端子収納室２２の並び方向の一方側又は他方側の何れを向いた状態でも端子５を挿着し得るようになっている（図９参照）。また、支持部２４ａも、同図に示すように、端子収納室２２に対して端子５が上記の何れの向きで挿入された場合でも接触片５ｂの上下方向の変位を適切に拘束して、単位接触片４６ａ，４６ｂのうち上側に位置するものの高さ位置を一定に保ち得るように突起２７等が形成されており、その結果、何れの向きで端子収納室２２に端子５が挿入された場合でも、単位接触片４６ａ，４６ｂの何れか一方に対して相手側の端子１２が確実に接触し得るようになっている。
【００３７】
一方、フラット配線材６は、例えば複数の平角導体が幅方向に一定ピッチで並ぶフラットケーブルからなり、図１０に示すようにその末端が処理されることにより各平角導体６ａ（以下、導体６ａという）が外部露出されており、その末端部分の幅方向両端にはリテーナ２５（支持部２４ｂ）の前記側方突部３５に対応する切欠き８が形成されている。また、フラット配線材６の末端部分においてその裏側、つまり導体６ａの露出する側とは反対側には撓み防止および位置決めの双方の用途を兼ねた補強板７が積層固定されている。
【００３８】
フラット配線材６のハウジング２０への挿着は次のようして行われている。まず、導体６ａの露出面を上向きにした状態で、該配線材６をハウジング２０の後側から差込孔２３に差込み、導体６ａの露出部分をハウジング２０の前方に引き出してフラット配線材６の末端部分をリテーナ２５に重ね合わせる（図６（ａ）に破線で示す）。具体的には、フラット配線材６の端末をリテーナ２５の両押え部３４と支持面３２との間に挿入しつつ補強板７を前後の突部３３，３６の間に嵌め込むことにより、フラット配線材６の末端部分をリテーナ２５の支持面３２に重ね合わせる。このようにフラット配線材６をリテーナ２５ｂに重ね合わせた状態では、前後の突部３３、３６および側方突部３５により補強板７が前後左右に拘束され、これによりフラット配線材６が前後左右に位置決めされ、また押え部３４により末端部分の浮き上がりが防止される。
【００３９】
そして、この状態でフラット配線材６と一体にリテーナ２５をその後側（後側突部３６側）からハウジング２０の前記差込孔２３に挿入する。このようにすると、図６（ｂ）に示すように、リテーナ２５の裏面に形成されたフック３７がハウジング２０の本体部分に形成された係止孔３０に挿入されてリテーナ２５が同本体部分に係合して一体化、つまりハウジング２０の前記支持部２４ｂが構成され、フラット配線材６の末端部分が同図に示すようにディスクリート線３（端子５）の列の下側にこの列と平行に並んだ状態で保持される。
【００４０】
このようにしてフラット配線材が、その末端の導体６ａの露出部分をハウジング２０の本体部分からコネクタ接続方向に突出させ、かつ支持部２４ｂによりその下側から支持された状態でハウジング２０に挿着される。
【００４１】
なお、詳しく図示していないが、この配線材側コネクタＣ１では、前記端子５の配列ピッチがフラット配線材６の前記導体６ａの配列ピッチと等しく、かつ各端子５とフラット配線材６の各導体６ａとが幅方向に半ピッチずれるようにハウジング２０等が構成されており、これによって配線材側コネクタ全体として端子５とフラット配線材６の導体６ａとが千鳥状の配列となっている。そして、相手側となる基板側コネクタＣ２のハウジング１０については、上記端子５に対応するように上段の端子１２Ｂが、またフラット配線材６の導体６ａの配列に対応して下段の端子１２Ａがそれぞれ配列され得るように上下の各端子収納室１３が形成されており、その結果、上下の端子１２Ａ，１２Ｂの接続部分がフラット配線材６の導体６ａと等ピッチで並び、かつ上下の端子１２Ａ，１２Ｂの配列が幅方向に互いに半ピッチずれた千鳥状の配列となっている。
【００４２】
上記のようなコネクタＣ１、Ｃ２の構成において、ディスクリート線３およびフラット配線材６をそれぞれ回路基板Ｐに接続するには、図１１（ａ），図１２（ａ），１３（ａ）に示すように、配線材側コネクタＣ１を基板側コネクタＣ２の前記嵌合用凹部１０ａに対向させ、配線材側コネクタＣ１の両支持部２４ａ，２４ｂの部分をその先端側から嵌合用凹部１０ａに差し込む。詳しくは、基板側コネクタＣ２に収納された上下二段の端子１２のうち、上段の端子１２Ｂの接続用撓み片１４ａと支持片１４ｂとの間に配線材側コネクタＣ１の上側の支持部２４ａを、同じく下段の端子１２Ａの接続用撓み片１４ａと支持片１４ｂとの間に配線材側コネクタＣ１の下側の支持部２４ｂを差込みながら両コネクタＣ１，Ｃ２のハウジング同士を嵌合させる。このようにすると、ハウジング２０が差し込まれるに伴い基板側コネクタＣ２の前記係止片１７が外側に押し広げられ、両コネクタＣ１，Ｃ２が完全な嵌合状態となると、図１３（ｂ）に示すように係止片１７のフック１７ａがハウジング２０の係止部２８に係合し、その結果、両コネクタＣ１，Ｃ２が嵌合状態にロックされる。
【００４３】
そして、このようにコネクタＣ１，Ｃ２が完全な嵌合状態となると、図１１（ｂ）に示すように、各ディスクリート線３に装着された端子５の接触片５ｂに対して相手側端子１２Ｂの接続用撓み片１４ａがそれぞれ接触し、正確には単位接触片３６ａ，３６ｂのうち上側に位置する単位接触片３６ａ（又は３６ｂ）に対して相手側端子１２Ｂの接続用撓み片１４ａがそれぞれ接触し、この接触により、各ディスクリート線３がそれぞれ対応する相手側端子１２Ｂを介して回路基板Ｐの回路に接続されることとなる。また、図１２（ｂ）に示すように、フラット配線材６の各導体６ａに対して相手側端子１２Ａの接続用撓み片１４ａがそれぞれ接触し、この接触によりフラット配線材６の各導体６ａがそれぞれ対応する相手側端子１２Ａを介して回路基板Ｐの回路に接続されることとなる。
【００４４】
この際、端子５の接触片５ｂが端子支持部２４ａにより、フラット配線材６の末端部分が端子支持部２４ｂによりそれぞれ接続用撓み片１４ａの接触側とは反対側から支持されていることにより、端子５および導体６ａが接続用撓み片１４ａおよび支持部１４ｂの間に挟持（嵌合）された状態でも、端子５（接触片５ｂ）やフラット配線材６（末端部分）の変形が有効に防止され、その結果、端子５および導体６ａに対して各接続用撓み片１４ａが確実に接触することとなる。
【００４５】
以上のような本発明に係るコネクタによると、ディスクリート線３とフラット配線材６の異なる線種の配線材を共通の基板側コネクタＣ２を用いて回路基板Ｐに対して接続することが可能となる。従って、ディスクリート線とフラット配線材のそれぞれについて個別のコネクタを用いる場合のように、配線材毎にコネクタの設計、製造等をする必要がなく、コネクタの設計等負担が軽減され、部品としてのコネクタハウジングの管理負担も軽減される。また、回路基板Ｐに対するディスクリート線３およびフラット配線材６の接続作業も、上記の通り基板側コネクタＣ２に対して配線材側コネクタＣ１を結合する一回の作業で行うことができるので、回路基板Ｐに対する配線材の接続等の作業性も良くなるというメリットがある。
【００４６】
なお、この実施形態では、回路基板Ｐに実装された基板側コネクタＣ２に対してディスクリート線３とフラット配線材６の双方を保持した配線材側コネクタＣ１を結合することによりディスクリート線３およびフラット配線材６を回路基板Ｐに電気的接続するようにしているが、例えばフラット配線材６を上下二段に保持した以下のような配線材側コネクタＣ３（第３コネクタ）を用いることで、上記基板側コネクタＣ２をそのまま使って両フラット配線材６を回路基板Ｐに接続することもできる。
【００４７】
図１４，図１５は、そのような上下二段にフラット配線材６を保持する配線材側コネクタＣ３の構成について説明する図である。なお、配線材側コネクタＣ３の構成は上記配線材側コネクタＣ１の構成と基本的に共通するため、以下の説明において、上述した配線材側コネクタＣ１と共通する部分については同一符号を付すことにより詳細説明を省略する。
【００４８】
この配線材側コネクタＣ３のハウジング２０（第３ハウジング）には、前記端子収納室２２は設けられておらず、図１５（ａ）に示すように差込孔２３が上下二段に設けられ、各差込孔２３に対してそれぞれ同一構成の上記リテーナ２５が挿着されるようになっている。そして、配線材側コネクタＣ１の場合と同様にして、フラット配線材６とリテーナ２５とが各差込孔２３に対して一体的に挿着されることにより、図１５（ｂ）に示すように、二本のフラット配線材６が互いに平行な状態で上下二段に並び、かつ導体６ａの露出部分が各リテーナ２５により構成される支持部２４ａ，２４ｂによって支持された状態でハウジング２０に保持されている。
【００４９】
なお、この配線材側コネクタＣ３では、上下のフラット配線材６が、互いに導体６ａの配列の半ピッチ分だけ幅方向にずれて保持されるようにハウジング２０等が構成されており、これにより導体６ａの配列が配線材側コネクタ全体として千鳥状の配列となっている。
【００５０】
このような配線材側コネクタＣ３の構成によると、同コネクタＣ３を基板側コネクタＣ２の前記嵌合用凹部１０ａに対向させ、両支持部２４ａ，２４ｂの部分をその先端側から嵌合用凹部１０ａに差し込むと、基板側コネクタＣ２に収納された上下二段の端子１２Ａ，１２Ｂのうち、上段の端子１２Ｂの接続用撓み片１４ａと支持片１４ｂとの間に配線材側コネクタＣ３のうち上段に保持されたフラット配線材６が差込まれる一方、下段の端子１２Ａの接続用撓み片１４ａと支持片１４ｂとの間に配線材側コネクタＣ１の下段のフラット配線材６が差込まれる。この際、基板側コネクタＣ２の上下の端子１２Ａ，１２Ｂは上述したように共にフラット配線材６の導体６ａと等ピッチで配列されているため、配線材側コネクタＣ３の上段のフラット配線材６の各導体６ａに対して基板側コネクタＣ２の上段の端子１２Ｂの接続用撓み片１４ａが、配線材側コネクタＣ３の下段のフラット配線材６の各導体６ａに対して基板側コネクタＣ２の下段の端子１２Ａの接続用撓み片１４ａがそれぞれ接触し、この接触により各フラット配線材６がそれぞれ対応する相手側端子１２Ａ，１２Ｂを介して回路基板Ｐの回路に接続されることとなる。
【００５１】
このように、上記実施形態のコネクタによると、ディスクリート線３およびフラット配線材６を回路基板Ｐに接続する場合だけではなく、２本のフラット配線材６を回路基板Ｐに接続する場合にも基板側コネクタＣ２をそのまま使用することができる。従って、基板側コネクタＣ２を共通化した合理的なコネクタ構成で回路基板Ｐに対する配線材の接続用途を広げることができるという利点がある。
【００５２】
なお、上記実施形態のコネクタによると、さらに次ぎのような特徴もある。
【００５３】
まず、配線材側コネクタＣ１における端子５の保持構造に関し、上記のようにインシュレーションバレル３４のクリンプハイトｈがクリンプワイドｗよりも小さい（ディスクリート線３の直径ｄよりも小さい）扁平状態となるように端子５をディスクリート線３に装着し、さらにインシュレーションバレル３４のクリンプハイトｈが端子収納室２２の並び方向に向くように端子５を横向きにした状態でハウジング２０に収納するように構成しているので、換言すればインシュレーションバレル３４のクリンプハイトｈの方向に端子５を並べた状態でハウジング２０に対して該端子５を収納するように配線材側コネクタＣ１を構成しているので、端子５の配列を効果的に狭ピッチ化することができ、その結果、複雑な端子構造を採ることなくフラット配線材６の導体６ａと等ピッチで端子５をハウジング２０に収納できる。すなわち、従来では、端子のインシュレーションバレルはディスクリート線の断面形状をほぼ維持しつつその被覆外側から抱え込むように圧着されており、そのため端子間ピッチの設定に際してはインシュレーションバレルのクリンプワイドによる制約を受け易く狭ピッチ化が難しい。これに対して、上記のように配線材側コネクタＣ１の構成によると、インシュレーションバレル３４のクリンプハイトｈの方向に端子５を並べるため端子間ピッチの設定に際してクリンプワイドｗによる制約を受けることがなく、しかも、クリンプハイトｈがクリンプワイドｗよりも小さくなる扁平な状態でディスクリート線３に対してインシュレーションバレル３４が圧着されているため、端子配列方向の占有スペースが効果的に縮小され、その結果、端子配列の狭ピッチ化が達成される。従って、複雑な端子構造を採ることなく端子５をフラット配線材６の導体６ａと等ピッチで配列した状態でハウジング２０内に収納できる。
【００５４】
また、この配線材側コネクタＣ１では、図９に示したように、端子５が左右何れの何れの向き、つまり端子５のうちディスクリート線３の保持面側が端子収納室２２の並び方向の一方側又は他方側の何れを向いた状態であっても端子５を端子収納室２２に収納できるようにハウジング２０が形成されているので、配線材側コネクタＣ１の組立に際してその作業性を向上させることができるとともに誤作業の発生を効果的に防止することができる。
【００５５】
さらに、端子５の接触片５ｂが上記のように一対の単位接触片３６ａ，３６ｂを備えた断面コ字型の形状である点を利用し、支持部２４に突起２７を設けてこれを単位接触片３６ａ，３６ｂの間に挿入させることにより接触片５ｂを上下方向に拘束してその浮き上がりを防止するように構成しているで、コネクタ嵌合時には相手側端子１２の接続用撓み片１４ａと支持片１４ｂとの間にスムーズ、かつ確実に接触片５ｂを差し込んで接触片５ｂを接続用撓み片１４ａに接触させることができる。従って、端子同士の接触信頼性を高めることができるという効果もある。
【００５６】
一方、基板側コネクタＣ２についても次のような効果がある。すなわち、上記の基板側コネクタＣ２では、固定金具１５Ａ，１５Ｂにそれぞれ係止片１７を設け、これら係止片１７を配線材側コネクタＣ１のハウジング２０に係合させるように構成しているが、当実施形態では、図２に示すように各係止片１７が上下にオフセットされている結果、基板側コネクタＣ２の省スペース化が達成されるという効果がある。詳しく説明すると、基板側コネクタＣ２のハウジング１０では、同図に示すように上段の端子収納室１３の並びが下段の端子収納室１３の並びに対して左側にずれた配列となっており、このずれに応じて、左側の固定金具１５Ａでは下段の端子収納室１３の並びに係止片１７が設けられ、右側の固定金具１５Ｂの係止片１７では上段の端子収納室１３の並びに係止片１７が設けられている。つまり、上記のような端子収納室１３の左右方向のずれにより上段の端子収納室１３の並びではハウジング１０の右方端部に、下段の端子収納室１３の並びではハウジング１０の左方端部にそれぞれデッドスペースができる。そこで、この配線材側コネクタＣ１では、このデッドスペースに係止片１７が位置するように各固定金具１５Ａ，１５Ｂに係止片１７を設けることによって、係止片１７の撓み代を十分に確保しながら両固定金具１５Ａ，１５Ｂをハウジング内にコンパクトに収納し得るようになっている。従って、この点で基板側コネクタＣ２の省スペース化が達成されている。
【００５７】
なお、以上説明した基板側コネクタＣ２および配線材側コネクタＣ１は、本発明に係るコネクタの実施形態の一例であって、その具体的な構成は本発明の要旨を逸脱しない範囲で適宜変更可能である。
【００５８】
例えば、上記の実施形態では、ディスクリート線３およびフラット配線材６を回路基板Ｐに接続する場合のコネクタ構成として本発明を適用しているが、勿論、ディスクリート線同士、フラット配線材同士を接続するコネクタ構成、あるいはディスクリート線とフラット配線材とを接続するコネクタ構成として本発明を適用することもできる。
【００５９】
また、上記実施形態では、配線材側コネクタＣ１の端子５の配列をフラット配線材６の導体６ａと等ピッチとしているが必ずしもこれに従う必要はなく、異なるピッチで配列するようにしてもよい。但し、端子５をフラット配線材６の導体６ａと等ピッチで配列する構成によると、図１４，図１５を用いて説明したように、上下二段にフラット配線材６を保持した配線材側コネクタＣ３を共通の基板側コネクタＣ２を使って接続することが可能となるというメリットがある。
【００６０】
また、実施形態では、基板側コネクタＣ２の端子１２Ａ，１２Ｂとして共通したコ字型の接続部分（接続用撓み片１４ａ、支持部１４ｂ）をもつ端子を使用しているが、勿論、端子１２Ａ，１２Ｂとして互いに異なる形状の接続部分をもつ端子を使用してもよい。但し、実施形態のような共通の構成とすれば、端子１２Ａ，１２Ｂの設計負担を軽減することができ、また、ハウジング１０における端子収納室１３の形状も共通化されるため、ハウジング１０の設計、製造が容易になるというメリットがある。この場合、可能な場合には端子１２Ａ，１２Ｂの全体を共通の形状とするのが好ましい。
【００６１】
なお、この実施形態において「ディスクリート線」とは、単芯線、撚線、丸線、角線等、あらゆる独立した形態の電線であればよく、また導電性メッキ処理等の有無も問わないものである。
【図面の簡単な説明】
【００６２】
【図１】本発明に係るコネクタを示す斜視図（一部分解図）である。
【図２】基板側コネクタの断面図である。
【図３】基板側コネクタの断面図である（（ａ）は図２のＡ−Ａ線断面図で、（ｂ）は図２のＢ−Ｂ線断面図である）。
【図４】基板側コネクタに挿着される固定金具を示す斜視図である。
【図５】配線材側コネクタのハウジングを示す図である（（ａ）はハウジング本体とこれに挿着リテーナをハウジング本体の後方側から視た斜視図で、（ｂ）はハウジング本体を前方側から視た斜視図である）。
【図６】配線材側コネクタのハウジングとこれに到着される端子（ディスクリート線に装着されたもの）、フラット配線材およびリテーナを示した断面図である（（ａ）はハウジングに端子、フラット配線材およびリテーナが挿着される前、（ｂ）はハウジングに端子、フラット配線材およびリテーナが挿着された状態を示している）。
【図７】ディスクリート線とその末端に装着される端子を示す斜視図である（（ａ）は装着前、（ｂ）は装着後の状態である）。
【図８】（ａ）はディスクリート線に装着された端子のうちインシュレーションバレルの圧着部分を示す断面模式図で、（ｂ）は端子装着前のディスクリート線を示す断面模式図である。
【図９】配線材側コネクタにおける支持部の縦断面図（端子収納室に収納された端子の向きを説明する図）である。
【図１０】フラット配線材の末端部分を示す平面略図である。
【図１１】基板側コネクタと配線材側コネクタとの接続過程を説明する縦断面図（配線材側コネクタの端子収納室部分での縦断面図）である（（ａ）は接続前の状態、（ｂ）は接続完了状態をそれぞれ示している）。
【図１２】基板側コネクタと配線材側コネクタとの接続過程を説明する縦断面図（配線材側コネクタの端子収納室壁部分での縦断面図）である（（ａ）は接続前の状態、（ｂ）は接続完了状態をそれぞれ示している）。
【図１３】基板側コネクタと配線材側コネクタとの接続過程を説明する平断面図（配線材側コネクタのフラット配線材支持部分での平断面図）である（（ａ）は接続前の状態、（ｂ）は接続完了状態をそれぞれ示している）。
【図１４】基板側コネクタに接続可能な配線材側コネクタの他の例を示す斜視図および斜視分解図である。
【図１５】図１４の配線材側コネクタを示す縦断面図である（（ａ）は分解図、（ｂ）は組立図である）。
【符号の説明】
【００６３】
Ｃ１  配線材側コネクタ（第１コネクタ）
Ｃ２  基板側コネクタ（第２コネクタ）
Ｐ  回路基板
３  ディスクリート線
５  端子（第１端子）
６  フラット配線材
６ａ  平角導体
１０，２０  コネクタハウジング
１２Ａ  端子（第３端子）
１２Ｂ  端子（第２端子）
【図１】
2006012717.tif 000003
【図２】
2006012717.tif 000004
【図３】
2006012717.tif 000005
【図４】
2006012717.tif 000006
【図５】
2006012717.tif 000007
【図６】
2006012717.tif 000008
【図７】
2006012717.tif 000009
【図８】
2006012717.tif 000010
【図９】
2006012717.tif 000011
【図１０】
2006012717.tif 000012
【図１１】
2006012717.tif 000013
【図１２】
2006012717.tif 000014
【図１３】
2006012717.tif 000015
【図１４】
2006012717.tif 000016
【図１５】
2006012717.tif 000017